(57)【要約】【課題】遮断器の高速度再閉路装置におけるシステム構成を簡潔にして、遮断器の小型化と低コスト化を図る。【解決手段】遮断部の開極動作を行う開極動作用電磁石コイル６に通電し開極動作用電磁石を付勢する開極動作用電源回路９を備え、開極動作用電源回路９には、遮断部１における複数回の開極動作に対応してそれぞれ充電される複数個のコンデンサ１３ｂ，１３ｃと、コンデンサ１３ｂ，１３ｃを充電するコンデンサ１３ｂ，１３ｃに共通のコンデンサ充電電源と、コンデンサ１３ｂ，１３ｃを前記開極動作に対応して放電し開極動作用電磁石コイル６に通電し開極動作用電磁石を付勢するコンデンサ１３ｂ，１３ｃに共通のコンデンサ放電手段としてのサイリスタ１１ｂと、コンデンサ１３ｂ，１３ｃを前記開極動作に対応して選択的に切り換えるコンデンサ切換回路１４とが設けられる。【選択図】図１
2013187035.tif 000002
【特許請求の範囲】
【請求項１】
遮断部の閉極動作を行う閉極動作用電磁石と、前記閉極動作用電磁石を付勢する閉極動作用電源回路と、前記遮断部の開極動作を行う開極動作用電磁石と、前記開極動作用電磁石を付勢する開極動作用電源回路とを備え、前記開極動作用電源回路には、前記遮断部における複数回の開極動作に対応してそれぞれ充電される複数個のコンデンサと、前記コンデンサを充電する前記複数個のコンデンサに共通のコンデンサ充電電源と、前記コンデンサを前記開極動作に対応して放電し前記開極動作用電磁石を付勢する前記複数個のコンデンサに共通の開極動作用コンデンサ放電手段と、前記複数個のコンデンサを前記開極動作に対応して選択的に切り換えるコンデンサ切換手段とが設けられていることを特徴とする遮断器の高速度再閉路装置。
【請求項２】
前記閉極動作用電源回路には、前記遮断部における閉極動作に対応して充電される閉極動作用コンデンサと、前記閉極動作用コンデンサを充電する閉極動作用コンデンサ充電電源と、前記閉極動作用コンデンサを前記閉極動作に対応して放電し前記閉極動作用電磁石を付勢する閉極動作用コンデンサ放電手段とが設けられるとともに、前記開極動作用電源回路の前記充電電源を前記閉極動作用充電電源と共用することを特徴とする請求項１に記載の遮断器の高速度再閉路装置。
【請求項３】
前記閉極動作用コンデンサを前記開極動作用電源回路における前記複数個のコンデンサと共用し、前記複数個のコンデンサのそれぞれで開極動作および閉極動作に対応することを特徴とする請求項２に記載の遮断器の高速度再閉路装置。
【請求項４】
前記開極動作用コンデンサ放電手段をサイリスタで構成し、前記コンデンサ切換手段を半導体リレーからなるスイッチ要素で構成したことを特徴とする請求項１から請求項３までの何れかに記載の遮断器の高速度再閉路装置。
【発明の詳細な説明】
【技術分野】
【０００１】
この発明は、遮断器の高速度再閉路装置、特に、コンデンサの放電電流で付勢される電磁石を利用した操作機構を備えた遮断器の高速度再閉路装置に関するものである。
【背景技術】
【０００２】
遮断器にはＪＥＣ・ＪＩＳで定める標準動作責務があり、特に高速度再閉路用遮断器の標準動作責務としてＲ責務（開-0.35s-閉開-1min-閉開） がある。これは架空線路系統における雷サージで発生するアーク故障による地絡保護に対処するもので、１回目の開極動作の０．３５秒後に閉極動作および２回目の開極動作を行い、その１分後に更に閉極動作および開極動作を行うことが要求されるものである。
このように短時間で繰り返される開極動作に対応するためコンデンサの放電電流で付勢される電磁石を利用した操作機構が用いられる。従来の高速度再閉路装置では、複数回の開極動作に対応して各別の電源回路やコンデンサがそれぞれ設けられ、それらを多数必要とする（例えば、特許文献１参照）。
【先行技術文献】
【特許文献】
【０００３】
【特許文献１】特開２００６−２３６７７３号公報（第１頁、図１）
【発明の概要】
【発明が解決しようとする課題】
【０００４】
この発明は、遮断器の高速度再閉路装置におけるシステム構成を簡潔にして、遮断器の小型化と低コスト化を図るものである。
【課題を解決するための手段】
【０００５】
この発明に関する遮断器の高速度再閉路装置は、遮断部の閉極動作を行う閉極動作用電磁石と、前記閉極動作用電磁石を付勢する閉極動作用電源回路と、前記遮断部の開極動作を行う開極動作用電磁石と、前記開極動作用電磁石を付勢する開極動作用電源回路とを備え、前記開極動作用電源回路には、前記遮断部における複数回の開極動作に対応してそれぞれ充電される複数個のコンデンサと、前記コンデンサを充電する前記複数個のコンデンサに共通のコンデンサ充電電源と、前記コンデンサを前記開極動作に対応して放電し前記開極動作用電磁石を付勢する前記複数個のコンデンサに共通の開極動作用コンデンサ放電手段と、前記複数個のコンデンサを前記開極動作に対応して選択的に切り換えるコンデンサ切換手段とが設けられているものである。
【発明の効果】
【０００６】
この発明によれば、複数回の開極動作に対応して開極動作用電磁石を付勢する複数個のコンデンサについて、それらの電源回路を共通化することにより、システム構成を簡潔なものとすることができ、遮断器の小型化と低コスト化を図ることができる。
【図面の簡単な説明】
【０００７】
【図１】この発明による実施の形態１における遮断器の高速度再閉路装置に係る全体構成を示す接続図である。
【図２】この発明による実施の形態１における遮断器の高速度再閉路装置に係るコンデンサ切換手段としてのコンデンサ切換回路の構成を示す接続図である。
【図３】この発明による実施の形態２における遮断器の高速度再閉路装置に係る全体構成を示す接続図である。
【図４】この発明による実施の形態３における遮断器の高速度再閉路装置に係る全体構成を示す接続図である。
【発明を実施するための形態】
【０００８】
実施の形態１．
図１および図２を使用して、この発明による実施の形態１における遮断器の高速度再閉路装置に係る構成について説明する。図１は、この発明による実施の形態１における遮断器の高速度再閉路装置に係る全体構成を示す接続図である。図２は、この発明による実施の形態１における遮断器の高速度再閉路装置に係るコンデンサ切換手段としてのコンデンサ切換回路の構成を示す接続図である。
図１において、遮断器の遮断部１は接離自在に構成された一対の接点２，３を備え、操作機構４によって開閉操作される。操作機構４には閉極動作用電磁石コイル５を有する閉極動作用電磁石および開極動作用電磁石コイル６を有する開極動作用電磁石が設けられている。遮断部１には遮断器開閉状態検出部７が設けられている。閉極動作用電磁石コイル５に通電して閉極動作用電磁石を励磁し付勢する閉極動作用電源回路８および開極動作用電磁石コイル６に通電して開極動作用電磁石を励磁し付勢する開極動作用電源回路９が備えられる。閉極動作用電磁石コイル５に通電して閉極動作用電磁石を励磁させるための閉極動作用電源回路８は、コンデンサ充電手段を構成するコンデンサ充電用スイッチ１０ａと、閉極動作用コンデンサ放電手段を構成するコンデンサ放電用サイリスタ１１ａと、コンデンサ充電用直流電源１２ａと、閉極動作用電磁石コイル５に放電電流を供給するための閉極動作用コンデンサ１３ａとからなる。開極動作用電磁石コイル６に通電して開極動作用電磁石を励磁させるための開極動作用電源回路９は、コンデンサ充電手段を構成するコンデンサ充電用スイッチ１０ｂと、開極動作用コンデンサ放電手段を構成するコンデンサ放電用サイリスタ１１ｂと、コンデンサ充電用直流電源１２ｂと、開極動作用電磁石コイル６に放電電流を供給するための開極動作用コンデンサ１３ｂ，１３ｃと、半導体リレーを用いたスイッチ要素で構成され遮断部１の開極動作ごとにコンデンサ１３ｂ，１３ｃを選択的に切り換えるコンデンサ切換手段を構成するコンデンサ切換回路１４とからなる。
図２に示すように、コンデンサ切換回路１４は、遮断器開閉状態検出部７に内蔵されたコンデンサ切換指令部７Ａから駆動信号を受ける半導体リレー１４Ａで構成されている。半導体リレー１４Ａの端子Ｓ１はコンデンサ充電用スイッチ１０ｂとコンデンサ放電用サイリスタ１１ｂとの接続点ｓ１（図１参照）に接続され、端子Ｓ２はコンデンサ１３ｂの正極端子との接続点ｓ２（図１参照）に接続されて、端子Ｓ３はコンデンサ１３ｃの正極端子との接続点ｓ３（図１参照）に接続される。
【０００９】
次に動作について、図１および図２を使用して説明する。図１において、まず、遮断部１の開閉動作の前に、コンデンサ１３ａ，１３ｂ，１３ｃはコンデンサ充電用スイッチ１０ａ，１０ｂを介してコンデンサ充電用直流電源１２ａ，１２ｂにより充電される。このときサイリスタ１１ａ，１１ｂはＯＦＦ状態になっており、コンデンサ１３ａ，１３ｂ，１３ｃに電荷が充電されたことにより開閉動作の準備が完了し、コンデンサ１３ａ，１３ｂ，１３ｃへの充電動作の完了によりコンデンサ充電用スイッチ１０ａ，１０ｂは開放される。そして、コンデンサ１３ｂ，１３ｃは開極動作ごとにコンデンサ切換回路１４により切り換えられ、交互に使用される仕組みになっている。
【００１０】
遮断部１の開極動作をする場合には、既に完了した閉極動作により閉極状態となっている遮断部１の閉極状態を検出している遮断器開閉状態検出部７から駆動信号（開１）ＤＳ０１をサイリスタ１１ｂに印加してサイリスタ１１ｂを投入し、コンデンサ１３ｂからの放電電流を開極動作用電磁石コイル６に通電する。これにより開極動作用電磁石コイル６に大きな電流が流れて開極動作用電磁石が付勢され電磁石としての機能を発揮して接点３を開方向に移動し、遮断部１が開状態となる。遮断部１が開極状態になったことを遮断器開閉状態検出部７で検出した後、サイリスタ１１ｂをＯＦＦ状態とする。サイリスタ１１ｂのＯＦＦ状態への移行に併せて、これと同時に遮断器開閉状態検出部７に内蔵されているコンデンサ切換指令部７Ａ（図２参照）から駆動信号（開２）ＤＳ０２をコンデンサ切換回路１４としてのスイッチ要素を構成する半導体リレー１４Ａの駆動部に印加してコンデンサ切換回路１４でコンデンサ１３ｃへの切り換えを行う。これにより、次の開極動作時にはコンデンサ１３ｃからの放電電流を開極動作用電磁石コイル６に通電して開極動作用電磁石を付勢するために使用することができ、開極動作の高速実行が可能になる。コンデンサ切換回路１４によるコンデンサ１３ｂからコンデンサ１３ｃへの切換動作時には、サイリスタ１１ｂはＯＦＦ状態であり、かつ、コンデンサ充電用スイッチ１０ｂは開放状態であるので、コンデンサ切換回路１４は無電流状態で切換動作を行うことができ、電流開閉能力を要しない簡易なものとすることができ、図２に示す半導体リレーを用いたスイッチ要素などの切換機能に特化した比較的単純な切換回路とすることができる。
【００１１】
遮断部１の閉極動作をする場合には、開極状態を検出している遮断器開閉状態検出部７から駆動信号（閉）ＤＳ１をサイリスタ１１ａに印加してサイリスタ１１ａを投入し、コンデンサ１３ａからの放電電流を閉極動作用電磁石コイル５に通電する。これにより、閉極動作用電磁石が付勢され電磁石としての機能を発揮して接点３を閉極方向に移動し、遮断部１が閉極状態となる。遮断部１が閉極状態になったことを遮断器開閉状態検出部６で検出した後、サイリスタ１１ａをＯＦＦ状態とする。
【００１２】
ここでは、Ｒ責務(開-0.35s-閉開-1min-閉開)による 開極動作（１回目）の０．３５秒後に閉極動作および開極動作（２回目）を実行しなければならないとする要求に対して、これを前述の通りコンデンサ１３ｂ，１３ｃの切り換えにより実現する。開極動作（１回目）の０．３５秒後における開閉動作後は、１分以内にコンデンサ１３ａ，１３ｂ，１３ｃをコンデンサ充電用スイッチ１０ａ，１０ｂを介してコンデンサ充電用直流電源１２ａ，１２ｂにより充電することで、残りの閉開動作を実施する。
１回目および２回目の開極動作にそれぞれ各別に対応する各コンデンサ１３ｂ，１３ｃは開極動作用電源回路９においてコンデンサ切換回路１４により選択的に切り換えられ、１回目の開極動作に際してはコンデンサ１３ｂがコンデンサ充電用スイッチ１０ｂおよびサイリスタ１１ｂを介してコンデンサ充電用直流電源１２ｂおよび開極動作用電磁石コイル６に接続され、２回目の開極動作に際してはコンデンサ１３ｃがコンデンサ充電用スイッチ１０ｂおよびサイリスタ１１ｂを介してコンデンサ充電用直流電源１２ｂおよび開極動作用電磁石コイル６に接続されるものであって、複数回の開極動作にそれぞれ各別に対応する複数個の各コンデンサ１３ｂ，１３ｃに対して開極動作用電源回路９は共通化され、コンデンサ充電用スイッチ、コンデンサ放電用サイリスタ、コンデンサ充電用直流電源等の数量を削減することができ、遮断器の高速度再閉路装置におけるシステム構成を簡潔にすることができる。コンデンサ切換回路１４を必要とするが、このコンデンサ切換回路１４は各コンデンサ１３ｂ，１３ｃを無電流状態で切り換えるためのものであって図２に示す半導体リレー１４Ａのような切換機能に特化した比較的簡易なスイッチ要素を用いることができるものであり、全体としてシステム構成を簡潔なものとすることができる。
【００１３】
この発明による実施の形態１では、閉極動作用電磁石コイル５を有し遮断部１の閉極動作を行う閉極動作用電磁石と、閉極動作用電磁石５を付勢する閉極動作用電源回路８と、開極動作用電磁石コイル６を有し遮断部１の開極動作を行う開極動作用電磁石と、開極動作用電磁石コイル６に通電し開極動作用電磁石を付勢する開極動作用電源回路９とを備え、開極動作用電源回路９には、遮断部１における複数回の開極動作に対応してそれぞれ充電される複数個のコンデンサ１３ｂ，１３ｃと、コンデンサ１３ｂ，１３ｃを充電する前記複数個のコンデンサ１３ｂ，１３ｃに共通のコンデンサ充電用直流電源１２ｂからなるコンデンサ充電電源と、コンデンサ１３ｂ，１３ｃを前記開極動作に対応して放電し開極動作用電磁石コイル６に通電し開極動作用電磁石を付勢する複数個のコンデンサ１３ｂ，１３ｃに共通のサイリスタ１１ｂからなる開極動作用コンデンサ放電手段と、複数個のコンデンサ１３ｂ，１３ｃを前記開極動作に対応して選択的に切り換える半導体リレー１４Ａで構成されるコンデンサ切換回路１４からなるコンデンサ切換手段とが設けられているので、複数回の開極動作に対応して開極動作用電磁石を付勢する複数個のコンデンサについて、それらの電源回路を共通化することにより、システム構成を簡潔なものとすることができ、遮断器の小型化と低コスト化を図ることができる。
【００１４】
この発明による実施の形態１における遮断器の高速度再閉路装置によれば、従来の高速度再閉路装置と同様にＲ責務を遂行し得るだけでなく、開極動作用電源回路内のコンデンサ放電用サイリスタやコンデンサ充電用直流電源を削減したことによって簡潔な構成で所望の特性を具備する高速度再閉路装置を実現することが可能になる。
【００１５】
実施の形態２．
実施の形態２における遮断器の高速度再閉路装置では、実施の形態１の構成からコンデンサ充電用直流電源を削減することによって、より簡潔な構成で所望の特性を具備する高速度再閉路装置を実現する。
【００１６】
図３を使用して、この発明による実施の形態２における高速度再閉路装置に係る構成について説明する。図３は、この発明による実施の形態２における遮断器の高速度再閉路装置に係る全体構成を示す接続図である。
図３において、この実施の形態２における高速度再閉路装置では、図１に示す実施の形態１における高速度再閉路装置の開極動作用電源回路９を図３に示すように開極動作用電源回路９Ａに変更したものである。開極動作用電磁石コイル６に通電して開極動作用電磁石を励磁し付勢させるための開極動作用電源回路９Ａは、コンデンサ充電手段を構成するコンデンサ充電用スイッチ１０ｂと、開極動作用コンデンサ放電手段を構成するコンデンサ放電用サイリスタ１１ｂと、コンデンサ１３ｂ，１３ｃと、半導体リレーを用いたスイッチ要素で構成され遮断部１の開極動作ごとにコンデンサ１３ｂ，１３ｃを選択的に切り換えるコンデンサ切換手段を構成するコンデンサ切換回路１４とからなり、コンデンサ１３ｂ，１３ｃを充電するためのコンデンサ充電用直流電源としては閉極動作用電源回路８Ａに設けられたコンデンサ充電用直流電源１２ｃを利用する。コンデンサ充電用直流電源１２ｃは閉極動作用電源回路８Ａにおける閉極動作用コンデンサ１３ａの充電動作と開極動作用電源回路９Ａにおける開極動作用コンデンサ１３ｂ，１３ｃの充電動作とで共通に利用されるものである。
【００１７】
次に動作について、図３を使用して説明する。この発明による実施の形態２における動作は実施の形態１の高速度再閉路装置と同様であるが、閉極動作用電源回路８Ａおよび開極動作用電源回路９Ａにおけるコンデンサ１３ａ，１３ｂ，１３ｃはスイッチ１０ａ,１０ｂを介して閉極動作用電源回路８Ａに設けられたコンデンサ１３ａ，１３ｂ，１３ｃについて共通する１つのコンデンサ充電用直流電源１２ｃにより充電される。
【００１８】
この発明による実施の形態２では、閉極動作用電源回路８Ａには、遮断部１における閉極動作に対応して充電される閉極動作用コンデンサ１３ａと、閉極動作用コンデンサ１３ａを充電する閉極動作用コンデンサ充電電源１２ｃと、閉極動作用コンデンサ１３ａを前記閉極動作に対応して放電し閉極動作用電磁石コイル５に通電し閉極動作用電磁石を付勢するサイリスタ１１ａからなる閉極動作用コンデンサ放電手段とが設けられるとともに、開極動作用電源回路９Ａの開極動作用コンデンサ充電電源をコンデンサ充電用直流電源１２ｃからなる閉極動作用コンデンサ充電電源と共用するようにしたので、複数回の開極動作に対応して開極動作用電磁石を付勢する複数個のコンデンサについて、それらの電源回路を共通化し、かつ、開極動作用コンデンサ充電電源と閉極動作用コンデンサ充電電源とを共用化することにより、システム構成を更に簡潔なものとすることができ、遮断器の小型化と低コスト化を図ることができる。
【００１９】
この発明による実施の形態２における遮断器の高速度再閉路装置によれば、実施の形態１における構成から更にコンデンサ充電用直流電源を削減したことによって更に簡潔な構成で所望の特性を具備する高速度再閉路装置を実現することが可能になる。
【００２０】
実施の形態３．
実施の形態３における遮断器の高速度再閉路装置では、実施の形態２における高速度再閉路装置の構成から更にコンデンサを削減することによってより簡潔な構成で所望の特性を具備する高速度再閉路装置を実現する。
【００２１】
図４を使用して、この発明による実施の形態３における遮断器の高速度再閉路装置の構成について説明する。図４は、この発明による実施の形態３における遮断器の高速度再閉路装置に係る全体構成を示す接続図である。
図４において、閉極動作用電磁石コイル５に通電し開極動作用電磁石を励磁し付勢するとともに、開極動作用電磁石コイル６に通電し開極動作用電磁石を励磁し付勢する閉極および開極動作用電源回路８Ｂが備えられる。閉極動作用電磁石コイル５および開極動作用電磁石コイル６に通電し閉極動作用電磁石および開極動作用電磁石を励磁し付勢させるための閉極および開極動作用電源回路８Ｂは、コンデンサ充電手段を構成するコンデンサ充電用スイッチ１０ｃと、コンデンサ放電手段を構成するコンデンサ放電用サイリスタ１１ａおよびコンデンサ放電用サイリスタ１１ｂと、コンデンサ充電用直流電源１２ｃと、閉極動作用電磁石コイル５および開極動作用電磁石コイル６に放電電流を供給するためのコンデンサ１３ｄおよびコンデンサ１３ｅと、半導体リレーを用いたスイッチ要素で構成され遮断部１の開極動作１回および閉極動作１回の開閉動作１サイクルごとにコンデンサ１３ｄ，１３ｅを選択的に切り換える切換手段を構成するコンデンサ切換回路１４とからなる。閉極および開極動作用コンデンサ１３ｄ，１３ｅは、１回の事前充電により追加充電なしで、遮断部１の開極動作１回および閉極動作１回の動作をすることが可能な容量をそれぞれ保有している。
【００２２】
次に動作について、図４を使用して説明する。まず、遮断部１の開閉動作の前に、コンデンサ１３ｄ，１３ｅはコンデンサ充電用スイッチ１０ｃを介して直流電源１２ｃにより充電される。このときサイリスタ１１ｄ，１１ｅはＯＦＦ状態になっており、コンデンサ１３ｄ，１３ｅに電荷が充電されたことにより開閉動作の準備が完了し、コンデンサ１３ｄ，１３ｅへの充電動作の完了によりコンデンサ充電用スイッチ１０ｃは開放される。そして、コンデンサ１３ｄ，１３ｅは遮断部１の開極動作１回および閉極動作１回の開閉動作１サイクルごとにコンデンサ切換回路１４により切り換えられ、交互に使用される仕組みになっている。
【００２３】
遮断部１の開極動作をする場合には、既に完了した閉極動作により閉極状態となっている遮断部１の閉極状態を検出している遮断器開閉状態検出部７から駆動信号（開）ＤＳ０をサイリスタ１１ｂに印加してサイリスタ１１ｂを投入し、コンデンサ１３ｄからの放電電流を開極動作用電磁石コイル６に通電する。これにより開極動作用電磁石コイル６に大きな電流が流れて開極動作用電磁石は付勢され電磁石としての機能を発揮して接点３を開方向に移動し、遮断部１が開状態となる。遮断部１が開極状態になったことを遮断器開閉状態検出部７で検出した後、サイリスタ１１ｂをＯＦＦ状態とする。
【００２４】
その後、遮断部１の閉極動作をする場合には、開極状態を検出している遮断器開閉状態検出部７から駆動信号（閉）ＤＳ１をサイリスタ１１ａに印加してサイリスタ１１ａを投入し、コンデンサ１３ｄからの放電電流を閉極動作用電磁石コイル５に通電する。これにより、閉極動作用電磁石コイル５に大きな電流が流れて閉極動作用電磁石が付勢され電磁石としての機能を発揮し接点３を閉極方向に移動し、遮断部１が閉極状態となる。遮断部が閉極状態になったことを遮断器開閉状態検出部７で検出した後、サイリスタ１１ａをＯＦＦ状態とする。サイリスタ１１ａのＯＦＦ状態への移行に併せて、これと同時に遮断器開閉状態検出部７から駆動信号（２）ＤＳ２をコンデンサ切換回路１４としてのスイッチ要素の駆動部に印加してコンデンサ切換回路１４でコンデンサ１３ｅへの切り換えを行う。これにより、次の開極動作時および閉極動作時にはコンデンサ１３ｅからの放電電流を開極動作用電磁石コイル６および閉極動作用電磁石コイル５の付勢のために使用することができ、開極動作の高速実行が可能になる。コンデンサ切換回路１４によるコンデンサ１３ｄからコンデンサ１３ｅへの切換動作時には、サイリスタ１１ａ，１１ｂはＯＦＦ状態であり、かつ、コンデンサ充電用スイッチ１０ｃは開放状態であるので、コンデンサ切換回路１４は無電流状態で切換動作を行うことができ、電流開閉能力を要しない簡易なものとすることができ、図２に示す半導体リレーを用いたスイッチ要素などの切換機能に特化した比較的単純な切換回路とすることができる。
【００２５】
ここでは、Ｒ責務(開-0.35s-閉開-1min-閉開)による 開極動作（１回目）の０．３５秒後に閉極動作および開極動作（２回目）を実行しなければならないとする要求に対して、これを前述の通り閉極および開極動作用コンデンサ１３ｄ，１３ｅの切り換えにより実現する。開極動作（１回目）の０．３５秒後における閉開動作後は、１分以内にコンデンサ１３ｄ，１３ｅをコンデンサ充電用スイッチ１０ｃを介して直流電源１２ｃにより充電することで、残りの閉開動作を実施する。
１回目の開極動作および閉極動作はコンデンサ１３ｄの放電電流を開極動作用電磁石コイル６および閉極動作用電磁石コイル５に通電することで対応し、２回目の開極動作および閉極動作はコンデンサ１３ｅの放電電流を開極動作用電磁石コイル６および閉極動作用電磁石コイル５に通電することで対応する。前述のように、コンデンサ１３ｄおよびコンデンサ１３ｅは、１回の事前充電のみの充電実行により追加充電なしで、遮断部１の開極動作１回および閉極動作１回の動作をすることが可能な容量を保有している。このように、１回目および２回目の開極動作にそれぞれ各別に対応する各コンデンサ１３ｄ，１３ｅは閉極および開極動作用電源回路８Ｂにおいてコンデンサ切換回路１４により選択的に切り換えられる。これらの開極動作に対応するコンデンサ１３ｄ，１３ｅは１回目および２回目の開極動作にそれぞれ後続する閉極動作を行うための閉極動作用コンデンサとしても機能し、開極動作用コンデンサの機能を持つコンデンサ１３ｄ，１３ｅを閉極動作用コンデンサとして共用できるので、コンデンサを集約しその数量を削減できて、遮断器の高速度再閉路装置におけるシステム構成を更に簡潔にできるものである。
【００２６】
この発明による実施の形態３では、開極動作用電磁石コイル６に通電し開極動作用電磁石を付勢する開極動作用コンデンサ（実施の形態２における図３に示す開極動作用コンデンサ１３ｂ，１３ｃに相当）を電源回路８Ｂにおける複数個の閉極動作用コンデンサ１３ｄ，１３ｅと共用し、複数個のコンデンサ１３ｄ，１３ｅのそれぞれで開極動作および閉極動作に対応するようにし、コンデンサ１３ｄ，１３ｅを閉極および開極動作用コンデンサとして、電源回路８Ｂを閉極動作用電磁石コイル５および開極動作用電磁石コイル６に電源供給を行い閉極動作用電磁石および開極動作用電磁石を付勢する閉極および開極動作用電源回路としたので、複数回の閉極および開極動作に対応して閉極および開極動作用電磁石を付勢する複数個のコンデンサについて、それらの電源回路を共通化することにより、システム構成を一層簡潔なものとすることができ、遮断器の小型化と低コスト化を図ることができる。
【００２７】
この発明の実施の形態３における高速度再閉路装置によれば、実施の形態２における構成から更にコンデンサを削減することによって一層簡潔な構成で所望の特性を具備する高速度再閉路装置を実現することが可能になる。
【００２８】
なお、この発明は、その発明の範囲内において、各実施の形態の一部または全部を自由に組み合わせたり、各実施の形態を適宜、変形、省略することが可能である。例えば、実施の形態２および実施の形態３においても、実施の形態１で図２に示す半導体リレー１４Ａで構成されるスイッチ要素をコンデンサ切換手段としてのコンデンサ切換回路１４として用いることができる。
【符号の説明】
【００２９】
１  遮断器の遮断部、２，３  接点、４  操作機構、５  閉極動作用電磁石コイル、６  開極動作用電磁石コイル、７  遮断器開閉状態検出部、８，８Ａ  閉極動作用電源回路、８Ｂ  閉極および開極動作用電源回路、９，９Ａ  開極動作用電源回路、１０ａ，１０ｂ，１０ｃ  コンデンサ充電用スイッチ、１１ａ  コンデンサ放電用サイリスタ（閉極動作用コンデンサ放電手段）、１１ｂ  コンデンサ放電用サイリスタ（開極動作用コンデンサ放電手段）、１２ａ，１２ｂ，１２ｃ  コンデンサ充電用直流電源（コンデンサ充電電源）、１３ａ  閉極動作用コンデンサ、１３ｂ，１３ｃ  開極動作用コンデンサ、１３ｄ，１３ｅ  閉極および開極動作用コンデンサ、１４  コンデンサ切換回路（コンデンサ切換手段）。
【図１】
2013187035.tif 000003
【図２】
2013187035.tif 000004
【図３】
2013187035.tif 000005
【図４】
2013187035.tif 000006